(57)【要約】【課題】施工が容易で、吸音が必要とされる音域に合わせた吸音特性に、容易に調整出来、遮音性能の良好な遮音二重床構造を提供する。【解決手段】建物２０の床部２１に設けられる床スラブ１と、床スラブ１の上面１ａから上方へ、所定の間隔を置いて敷設される床面３とを有する遮音二重床構造であって、前記床スラブ１の上面１ａに、ダイナミックダンパ１６を載置した遮音二重床構造である。  前記ダイナミックダンパ１６は、有効に振動を減衰させることが出来る振動域が、４４Ｈｚ〜１７７Ｈｚとなるように、固有振動数が調整されている。【選択図】図１
2007205152.tif 000002
【特許請求の範囲】
【請求項１】
建物の床部に設けられる床スラブと、該床スラブの上面から上方へ、所定の間隔を置いて敷設される床面とを有する遮音二重床構造であって、
前記床スラブの上面に、ダイナミックダンパを載置したことを特徴とする遮音二重床構造。
【請求項２】
前記ダイナミックダンパは、振動を検知するセンサと、該検知された振動に基づいて、最適な制御力を演算する演算部と、所定の重量を有する可動マスと、該可動マスを前記振動を打ち消す方向に移動させて、該振動を減衰させる駆動装置とを有することを特徴とする請求項１記載の遮音二重床構造。
【請求項３】
前記ダイナミックダンパは、所定の重量を有する可動マスを、厚板鋼板によって構成すると共に、該厚板鋼板を、減衰ゴムによって支持したことを特徴とする請求項１又は２記載の遮音二重床構造。
【請求項４】
前記ダイナミックダンパは、有効に振動を減衰させることが出来る振動域が、４４Ｈｚ〜１７７Ｈｚとなるように、固有振動数が調整されていることを特徴とする請求項１乃至３のうち、何れか一項記載の遮音二重床構造。
【請求項５】
前記ダイナミックダンパは、固有振動数が、約４０Ｈｚとなるように調整されていることを特徴とする請求項１乃至４のうち、何れか一項記載の遮音二重床構造。
【請求項６】
前記床スラブが複数個の梁部材の上部に複数個のＡＬＣパネルを架設して設けたものとなっていることを特徴とする請求項１乃至５のうち、何れか一項記載の遮音二重床構造。
【請求項７】
前記床スラブを構成する前記ＡＬＣパネル1枚につき１箇所のダイナミックダンパを設けることを特徴とする請求項６記載の遮音二重床構造。
【請求項８】
前記ダイナミックダンパは、前記床スラブの下面側に位置する複数の梁部材同士の間に設けられていることを特徴とする請求項１乃至５のうち、何れか一項記載の遮音二重床構造。
【請求項９】
前記ダイナミックダンパは、前記床スラブを構成する前記ＡＬＣパネルの略中央部に設けられていることを特徴とする請求項１乃至６のうち、何れか一項記載の遮音二重床構造。
【発明の詳細な説明】
【技術分野】
【０００１】
本発明は、建物の床衝撃音、特に下階への床衝撃音を低減させる遮音二重床構造に関し、主に木造、鉄骨造、ＲＣ造、又はＳＲＣ造の建物で、２重床構造の浮き床等に用いて好適な遮音二重床構造に関するものである。
【背景技術】
【０００２】
従来から遮音二重床構造として、図７に示すように、建物の床スラブ１の上面に、支持束部材２…を介して、床面３が支持されているいわゆる二重床構造に適用されるものが知られている（例えば、特許文献１等参照）。
【０００３】
このようなものでは、下部に防振ゴムの設けられた支持束部材２に加えて、前記床スラブ１の上面に、平板状の吸音部材４が敷設されている。  この吸音部材４には、前記各支持束部材２，２を挿通する貫通孔４ａ，４ａが、上下面を貫通するように開口形成されている。
【０００４】
また、図８に示すようなダイナミックダンパ６を、床面３の下方に位置する梁部材５に装着するものも知られている（例えば、特許文献２等参照）。
【０００５】
このようなものでは、前記ダイナミックダンパ６が、所定の質量を有するマス６ａと、バネ系を構成するゴム部６ｂとから主に構成されている。
【０００６】
そして、略Ｌ字状断面を有する金属製の取付ブラケット部材７によって、前記梁部材５に固定されている。
【０００７】
更に、図９に示すように、床スラブ１と、床面３との間を連結するダンパ部材８が設けられたものも知られている（例えば、特許文献３等参照）。
【０００８】
このようなものでは、前記ダンパ部材８のダンパ本体８ａが、ゴム部材等で構成されることにより、床衝撃音レベル、特に重量床衝撃音レベルを低下させることができる。
【０００９】
そして、図１０に示すように、床スラブ１の上面に、複数の防振支持脚部材９…を介して、床部材１０が設置されているものも知られている（例えば、特許文献４等参照）。
【００１０】
このようなものでは、複数のパーティクルボード１１ａ…からなるパーティクルボード層１１を、硬質繊維板層１２で連結して、交互に積層することにより、最上面側のフローリング層１３の裏面に設けられた制振シート層１４が介装されて、構成されている。
【特許文献１】特許公開２００２−２２７３９３号公報（００１０段落乃至００２１段落、図１）
【特許文献２】特許公開２００４−３２８０号公報（００１１段落乃至００１５段落、図１）
【特許文献３】特許公開２００２−４５５４号公報（０００９段落乃至００２４段落、図１）
【特許文献４】特許公開２００５−３２５５９８号公報（００１６段落乃至００４４段落、図１）
【発明の開示】
【発明が解決しようとする課題】
【００１１】
しかしながら、このように構成された前記図７に示すような従来の遮音二重床構造では、床スラブ１の上面に、吸音部材４が載置されて、振動を吸収するように構成されているため、特に重量床衝撃音に対する静音性能が十分であるとは言い難く、遮音性能の向上効果が十分ではなかった。
【００１２】
また、前記図８に示すような従来の遮音二重床構造では、ダイナミックダンパ６が、前記梁部材５に固定されている為、低音域においての太鼓現象の抑制効果が少ない。
【００１３】
そして、梁部材５に、このダイナミックダンパを固定する際に、略Ｌ字状断面を有する専用の金属製の取付ブラケット部材７が、必要となり、部品点数が増大してしまうといった問題があった。
【００１４】
又、ＲＣ造、ＳＲＣ造等のコンクリート梁材に固定する場合には、更に、取付が困難であった。
【００１５】
更に、前記図９に示すような従来の遮音二重床構造では、床スラブ１と、床面３との間の空間の間隔を一定に保持する為に、支持束部材２…の高さ方向の調整と共に、前記ダンパ部材８も高さ方向の調整を行わなければならないといった問題があった。
【００１６】
このため、施工作業性が良好であるとは言い難かった。
【００１７】
また、前記図１０に示すような従来の遮音二重床構造では、前記床部材１０を構成するフローリング層１３の裏面側に、前記制振シート層１４を介在させて、パーティクルボード層１１及び、硬質繊維板層１２が、交互に積層されている。
【００１８】
このため、施工後若しくは施工時に、フローリング層１３の裏面側に、これらの制振シート層１４等を略全面に渡って貼設することは困難である。従って、予め、制振シート層１４等が設けられた床部材１０を用意しなければならず、製造コストが増大してしまう虞があった。
【００１９】
そこで、この発明は、施工が容易で、吸音が必要とされる音域に合わせた吸音特性に、容易に調整出来、遮音性能の良好な遮音二重床構造を提供することを課題としている。
【課題を解決するための手段】
【００２０】
上記目的を達成するために、請求項１に記載された発明は、建物の床部に設けられる床スラブと、該床スラブの上面から上方へ、所定の間隔を置いて敷設される床面とを有する遮音二重床構造であって、前記床スラブの上面に、ダイナミックダンパを載置した遮音二重床構造を特徴としている。
【００２１】
また、請求項２に記載されたものは、前記ダイナミックダンパは、振動を検知するセンサと、該検知された振動に基づいて、最適な制御力を演算する演算部と、所定の重量を有する可動マスと、該可動マスを前記振動を打ち消す方向に移動させて、該振動を減衰させる駆動装置とを有する請求項１記載の遮音二重床構造を特徴としている。
【００２２】
更に、請求項３に記載されたものは、前記ダイナミックダンパは、所定の重量を有する可動マスを、厚板鋼板によって構成すると共に、該厚板鋼板を、減衰ゴムによって支持した請求項１又は２記載の遮音二重床構造を特徴としている。
【００２３】
また、請求項４に記載されたものは、前記ダイナミックダンパは、有効に振動を減衰させることが出来る振動域が、４４Ｈｚ〜１７７Ｈｚとなるように、固有振動数が調整されている請求項１乃至３のうち、何れか一項記載の遮音二重床構造を特徴としている。
【００２４】
更に、請求項５に記載されたものは、前記ダイナミックダンパは、固有振動数が、約４０Ｈｚとなるように調整されている請求項１乃至４のうち、何れか一項記載の遮音二重床構造を特徴としている。
【００２５】
そして、請求項６に記載されたものは、前記床スラブが複数個の梁部材の上部に複数個のＡＬＣパネルを架設して設けたものとなっている請求項１乃至５のうち、何れか一項記載の遮音二重床構造を特徴としている。
【００２６】
また、請求項７に記載されたものは、前記床スラブを構成する前記ＡＬＣパネル1枚につき１箇所のダイナミックダンパを設ける請求項６記載の遮音二重床構造を特徴としている。
【００２７】
さらに、請求項８に記載されたものは、前記ダイナミックダンパは、前記床スラブの下面側に位置する複数の梁部材同士の間に設けられている請求項１乃至５のうち、何れか一項記載の遮音二重床構造を特徴としている。
【００２８】
また、請求項９に記載されたものは、前記ダイナミックダンパは、前記床スラブを構成する前記ＡＬＣパネルの略中央部に設けられている請求項１乃至６のうち、何れか一項記載の遮音二重床構造を特徴としている。
【発明の効果】
【００２９】
このように構成された請求項１記載のものは、施工時、床面を敷設する前に、前記床スラブの上面に、前記ダイナミックダンパを載置するだけでよいので、施工が容易である。
【００３０】
また、前記床面の裏面側の略全域に、遮音シート層を貼設して設けなければならないものや、専用の取付ブラケット部材が必要となるものに比して、前記床スラブの上面の一部に、前記ダイナミックダンパを載置するだけでよいので、作業姿勢に無理が無く、載置後も、床スラブの上面を作業者は、歩いて行き来、出来るので、施工順序の自由度が向上する。
【００３１】
更に、専用の取付ブラケット部材等が不要で、部品点数が増大することなく、製造コストが削減される。
【００３２】
また、請求項２に記載されたものは、前記センサで振動が検知されると、該検知された振動に基づいて、前記演算部によって、最適な制御力が演算される。
【００３３】
前記駆動装置は、この演算された制御力によって、前記振動を減衰させるように、前記可動マスを、該振動を打ち消す方向に移動させる。
【００３４】
従って、効率的に、所望の振動領域の振動を減衰させて、消音性能を良好なものとすることができる。
【００３５】
更に、請求項３に記載されたものは、前記厚板鋼板の形状、数量及び質量と、前記減衰ゴムの弾性を調整することにより、容易に、所望の固有振動数及び減衰させる振動領域を、調整して設定できる。
【００３６】
また、請求項４に記載されたものは、前記ダイナミックダンパが、有効に振動を減衰させることが出来る振動域が、４４Ｈｚ〜１７７Ｈｚとなるように、固有振動数が調整されている。
【００３７】
このため、下階に伝達される際に最も抑制が所望される重量衝撃音域の振動が、抑制されて、更に、有効な消音性能を得ることができる。
【００３８】
更に、請求項５に記載されたものは、前記ダイナミックダンパの固有振動数が、約４０Ｈｚとなるように調整されている。このため、有効に振動を減衰させることが出来る振動域が、約３０Ｈｚ〜１７７Ｈｚとなるように設定されて、下階に伝達される際に最も抑制が所望される重量衝撃音域の振動が、抑制されて、更に、有効な消音性能を得ることができる。
【００３９】
また、請求項６に記載されたものは、前記梁部材の上部にＡＬＣパネルを架設することで、容易に床スラブが構築できる。
【００４０】
更に、前記ＡＬＣパネルが、発泡によって形成される複数の気泡を有する場合、これらの気泡が、衝撃音を吸収する役割を果たし、足音や飛び音、ドアの開閉音などの上，下階の騒音などの遮音性能を向上させることが出来る。
【００４１】
そして、前記ＡＬＣパネルが、高断熱性を有するので、上，下階での冷暖房のロスを抑制することができる。
【００４２】
更に、請求項７に記載されたものは、ＡＬＣパネル１枚につき１箇所、前記ダイナミックダンパを設けることにより、規則的な配置が容易であり、又、各ＡＬＣパネル自身の微振動についても抑制することができる。
【００４３】
そして、請求項８に記載されたものは、前記ダイナミックダンパが、前記床スラブの上面で、しかも、下面側に位置する複数の梁部材の中間位置に設けられている。
【００４４】
このため、面内，外方向に振幅の大きい部分で振動を減衰させることが出来、低音域においての太鼓現象の抑制効果を充分に得られる。
【００４５】
また、請求項９に記載されたものは、前記ダイナミックダンパが、前記床スラブを構成するＡＬＣパネルの中央部に設けられている。
【００４６】
このため、該ＡＬＣパネルの面内，外方向に振幅の大きい部分で、振動を減衰させることが出来、低音域においての太鼓現象の抑制効果を充分に得られる。
【発明を実施するための最良の形態】
【００４７】
次に、図１及び図２に基づいて、この発明を実施するための最良の実施の形態の遮音二重床構造について説明する。
【００４８】
なお、前記従来例と同一乃至均等な部分については、同一符号を付して説明する。
【００４９】
まず、遮音二重床構造の構成から説明すると、この実施の形態では、図１に示すように、建物２０の床部２１には、平板パネル状のＲＣ構造板材によって構成される床スラブ１の下面側に、複数の梁部材５，５が、一定間隔を置いて並設されていて、この床スラブ１の下面側に当接されて、下方からこの床スラブ１を支持するように構成されている。
【００５０】
この床スラブ１の上面１ａ側には、複数の支持束部材２…によって下方から支持されて、上方へ所定の間隔を置いて、床面３が敷設されている。
【００５１】
この床面３は、主に、表面側を構成する床仕上げ材としてのフローリング層１３と、このフローリング層１３の裏面側に設けられるパーティクルボード等からなる浮床層２４とを有して構成されている。
【００５２】
そして、前記床スラブ１の上面１ａに、ダイナミックダンパ１６が載置されている。
【００５３】
このダイナミックダンパ１６は、振動を検知するセンサと、この検知された振動に基づいて、最適な制御力を演算する演算部と、所定の重量を有する可動マスと、この可動マスを前記振動を打ち消す方向に移動させて、この振動を減衰させる駆動装置とを有して主に構成されている。
【００５４】
また、この実施の形態のダイナミックダンパ１６は、有効に振動を減衰させることが出来る振動域が、４４Ｈｚ〜１７７Ｈｚとなるように、固有振動数が調整されている。
【００５５】
更に、このダイナミックダンパ１６は、前記床スラブ１の下面側に位置する複数の梁部材５，５の中間位置に設けられている。
【００５６】
そして、この実施の形態では、前記梁部材５，５の下面側には、下階の天井部を構成する平板パネル状の下階天井部材１５が貼設されている。
【００５７】
次に、この実施の形態の遮音二重床構造の作用効果について説明する。
【００５８】
この実施の形態では、施工時、前記梁部材５，５の上に、床スラブ１を水平に載置して、この床スラブ１の上面１ａに複数の支持束部材２…を、所定の間隔を置いて設置する。
【００５９】
そして、この支持束部材２…の上に、床面３を敷設する前に、前記床スラブ１の上面１ａで、前記床スラブ１の下面側に位置する複数の梁部材５，５同士の間の位置である略中間位置に、前記ダイナミックダンパ１６を載置する。
【００６０】
このように、前記床スラブ１の上面１ａで、前記床スラブ１の下面側に位置する複数の梁部材５，５の中間位置に、前記ダイナミックダンパ１６を載置するだけでよいので、従来のように、前記床面３の裏面側の略全域に、遮音シート層１４を貼設して設けなければならいものや、専用の取付ブラケット部材７等が必要となるものに比して、作業姿勢に無理が無く、載置後も、床スラブ１の上面１ａを作業者は、歩いて行き来、出来るので、施工順序の自由度が向上する。
【００６１】
更に、専用の取付ブラケット部材等が不要で、部品点数が増大することなく、製造コストが削減される。
【００６２】
しかも、前記支持束部材２…の上に、床面３を敷設することにより、前記床スラブ１との間に形成される空間を利用して、前記ダイナミックダンパ１６を設置できるので、スペース効率が良好である。
【００６３】
次に、この実施の形態の遮音二重床構造による施工後の遮音動作について説明する。
【００６４】
前記センサで、上階の床部２１の振動が検知されると、この検知された振動に基づいて、前記演算部によって、最適な制御力が演算される。
【００６５】
前記駆動装置は、この演算された制御力によって、前記振動を減衰させるように、前記可動マスを、この振動を打ち消す方向に移動させる。
【００６６】
従って、効率的に、所望の振動領域の振動を減衰させて、消音性能を良好なものとすることができる。
【００６７】
更に、前記ダイナミックダンパ１６が、有効に振動を減衰させることが出来る振動域が、４４Ｈｚ〜１７７Ｈｚとなるように、固有振動数が調整されている。
【００６８】
このため、下階に伝達される際に最も抑制が所望される重量衝撃音域の振動が、抑制されて、更に、有効な消音性能を得ることができる。
【００６９】
また、前記ダイナミックダンパ１６が、前記床スラブ１の上面１ａで、しかも、下面側に位置する複数の梁部材５，５の中間位置に設けられている。
【００７０】
このため、床スラブ１の面内，外方向に振幅の大きい部分で振動を減衰させることが出来ると共に、この実施の形態では、支持束部材２，２間の床パネル部材３の面内，外方向に振幅の大きい部分の真下にも、位置させて、振動を減衰させることが出来、低音域においての太鼓現象の抑制効果を充分に得られる。
【００７１】
特に、前記支持束部材２の脚部にゴム製吸音材が用いられているものでは、振動が、このゴム製吸音材の吸音範囲を逸脱して吸音しきれないような大きな重量床衝撃音等であっても、前記ダイナミックダンパ１６が、有効にこの重量床衝撃音を吸音して下階への伝播を抑制する。
【００７２】
更に、前記支持束部材２…の上に、床面３を敷設することにより、前記床スラブ１との間に空間が形成される二重床構造であれば、前記ダイナミックダンパ１６を設置できるので、既設の建物２０であっても、床部２１の一部を改装することで装着が完了する。
【００７３】
従って、既設の建物２０の床部２１の遮音性能を容易に向上させることが出来る。
【実施例１】
【００７４】
図２に示す実験結果では、各梁材間の間隔を、１５００〜１８００ｍｍとして、並列された梁材上に、ＡＬＣ（長さ最大２１００ｍｍ×幅６００ｍｍ×厚さ１００ｍｍ）の床スラブ１…を掛け渡し、このＡＬＣの上面１ａに前記ダイナミックダンパ１６を設置すると共に、前記浮床層２４としてパーティクルボードに代えて、遮音シートが前記フローリング層１３の裏面側に設けられた床面３に、重量衝撃音を加えて、騒音を測定した。
【００７５】
測定結果は、ＡＬＣ（厚さ１００ｍｍ）の床スラブ１上面１ａに前記ダイナミックダンパ１６が設置されていないものと比較すると、全ての音域で、遮音性能の向上が確認される。
【実施例２】
【００７６】
図３乃至図６は、この発明の実施の形態の実施例２の遮音二重床構造に用いられるダイナミックダンパ２６を示すものである。
【００７７】
なお、前記実施の形態及び実施例１と同一乃至均等な部分については、同一符号を付して説明する。
【００７８】
まず、構成から説明すると、この実施例２のダイナミックダンパ２６は、主に、前記ダイナミックダンパは、所定の重量を有する可動マスとしての厚板鋼板２７が設けられている。
【００７９】
この実施例２の厚板鋼板２７は、長さ約５０ｃｍ×幅約５ｃｍ×高さ約７．５ｃｍの直方体形状を呈して、長手方向を略水平方向に沿わせて載置されるように形成されている。
【００８０】
この厚板鋼板２７の下面側２７ａには、この厚板鋼板２７を弾性支持する一対の減衰ゴム２９，２９を有する支持台３０が、装着されている。
【００８１】
すなわち、この厚板鋼板２７の下面側２７ａには、一対のタップ孔２７ｂ，２７ｂが、略鉛直上方に向けて、穿設形成されている。
【００８２】
また、前記支持台３０は、前記一対の減衰ゴム２９，２９を、厚板鋼板２７の長手方向に、図４及び図５に示されるように、一定距離Ｌだけ離し置きした状態で、上，下側から挟持するマス支持鋼板３１及び建物側固定用鋼板３２によって、主に構成されている。
【００８３】
このうち、前記マス支持鋼板３１は、厚さｔ＝１．６ｍｍの鋼板製で、前記一対のタップ孔２７ｂ，２７ｂに螺着されるマス固定用ボルト部材３３，３３が各々挿通されるボルト孔３１ａ，３１ａが開口形成されている。
【００８４】
また、前記建物側固定用鋼板３２は、厚さｔ＝１．６ｍｍの鋼板製で、両側縁部３２ｃ，３２ｄから取付フランジ部３２ａ，及び３２ｂ，３２ｂを各々一体に突設させている。
【００８５】
これらの取付フランジ部３２ａ，及び３２ｂ，３２ｂには、各々、図３に示すような床部を構成する平板状のＡＬＣパネル３４の面延設方向のうち、縦，横両方向の中央部上面側３４ａに、このダイナミックダンパ２６を固定するＡＬＣ専用ビス３５…が、各々挿通されるビス孔３２ｅ…が開口形成されている。
【００８６】
また、この建物側固定用鋼板３２の前記タップ孔２７ｂ，２７ｂに対応する位置には、図５に示すように、前記マス固定用ボルト部材３３，３３のボルト頭部３３ａ，３３ａを挿通可能な大径開口部３２ｆ，３２ｆが開口形成されている。
【００８７】
この実施例２の遮音二重床構造では、前記厚板鋼板２７の形状、数量及び質量と、前記減衰ゴム２９，２９の弾性が調整されることにより、ダイナミックダンパ２６の固有振動数が、約４０Ｈｚとなるように調整されていて、制振二重床の振動を、有効に減衰させることが出来る振動域が、約３０Ｈｚ〜１７７Ｈｚとなるように設定されている。
【００８８】
次に、この実施例２の遮音二重床構造の作用について説明する。
【００８９】
この実施例２の遮音二重床構造では、前記実施の形態及び実施例１の作用効果に加えて、更に、図４に示すように、前記厚板鋼板２７の下面側２７ａには、減衰ゴム２９，２９が設けられた支持台３０が、ワッシャ部材３６，３６を介在させて、前記マス固定用ボルト部材３３，３３を、前記タップ孔２７ｂ，２７ｂに螺着させることにより、マス支持鋼板３１を固定して装着されている。
【００９０】
そして、図３に示すように、建物の床部を構成する各ＡＬＣパネル３４の面延設方向の縦，横両方向の中央部上面側３４ａに、ＡＬＣ専用ビス３５…が用いられて、このダイナミックダンパ２６の建物側固定用鋼板３２が固定される。
【００９１】
この際、前記取付フランジ部３２ａ，３２ｂ…は、前記建物側固定用鋼板３２の両側縁部３２ｃ，３２ｄから一体に突設されているので、上方から容易に、前記ＡＬＣ専用ビス３５…を、ビス孔３２ｅ…に各々挿通させて螺着させることが出来る。
【００９２】
このため、弾性変形により前記厚板鋼板２７を制振支持する前記減衰ゴム２９，２９が、このダイナミックダンパ２６を、ＡＬＣパネル３４の中央部上面側３４ａに装着するだけで、前記厚板鋼板２７を可動マスとして機能させるように、下方から支持し、制振二重床の振動が、有効に減衰されるように調整された状態となり、略施工が完了するので、複数の各ＡＬＣパネル３４…に、個別に前記ダイナミックダンパ２６が装着される場合でも、施工性が良好である。
【００９３】
また、この実施例２のダイナミックダンパ２６では、前記厚板鋼板２７の形状、数量及び質量と、前記減衰ゴム２９の弾性を、変更して調整することにより、容易に、所望の固有振動数及び減衰させる振動領域が、設定される。
【００９４】
この実施例２では、前記ダイナミックダンパ２６の固有振動数が、約４０Ｈｚとなるように調整されている。このため、有効に振動を減衰させることが出来る振動域が、約３０Ｈｚ〜１７７Ｈｚとなり、下階に伝達される際に最も抑制が所望される重量衝撃音域の振動が、抑制されて、更に、有効な消音性能を得ることができる。
【００９５】
更に、この実施例２では、前記ダイナミックダンパ２６が、前記床スラブを構成するＡＬＣパネル３４の中央部上面側３４ａに設けられている。
【００９６】
このため、このＡＬＣパネル３４の面内，外方向に振幅の大きい部分で、振動を減衰させることが出来、低音域においての太鼓現象の抑制効果を充分に得られる。
【００９７】
前記梁部材の上部にＡＬＣパネルを架設することで、容易に床スラブが構築できる。
【００９８】
更に、前記ＡＬＣパネル３４が、発泡によって形成される複数の気泡を有する場合、これらの気泡が、衝撃音を吸収する役割を果たし、足音や飛び音、ドアの開閉音などの上，下階の騒音などの遮音性能を向上させることが出来る。
【００９９】
そして、前記ＡＬＣパネル３４が、高断熱性を有するので、上，下階での冷暖房のロスを抑制することができる。
【０１００】
更に、ＡＬＣパネル３４、１枚につき１箇所、前記ダイナミックダンパ２６を設けることにより、規則的な配置が容易であり、又、各ＡＬＣパネル３４自身の微振動についても抑制することができる。
【０１０１】
他の構成、及び作用効果については、前記実施の形態及び実施例１と同一乃至均等であるので、説明を省略する。
【０１０２】
以上、図面を参照して、本発明の実施の形態，実施例１及び実施例２を詳述してきたが、具体的な構成は、この実施の形態及び実施例１，２に限らず、本発明の要旨を逸脱しない程度の設計的変更は、本発明に含まれる。
【０１０３】
即ち、前記実施の形態では、建物２０に、前記複数の支持束部材２によって、前記浮床２４として床パネル部材３が支持されるように構成されているが、特にこれに限らず、大引きや或いは根太、周縁の支持枠によって、前記床パネル部材３が支持されるように構成されていても良く、床スラブ１の上面１ａから上方へ、所定の間隔を置いて敷設される床面３であれば、どのような数量、形状及び材質であってもよい。
【０１０４】
また、この床面３の構成についても、発泡系プラスチックによる構成、ロックウール等の高密度繊維系材料による構成等、形状、積層される材質及び数量が特に限定されるものではなく、床スラブ１上に、床面３が、一定間隔を置いて敷設されるものであればよい。
【０１０５】
また、前記実施の形態では、建物２０の床部２１に遮音二重床構造を適用した場合を示して説明してきたが、建物２０として、木造、鉄筋造、ＲＣ造又は、ＳＲＣ造及びこれらの混合工法の建物であればよいことは当然である。
【０１０６】
更に、前記実施の形態では、床部２１の床スラブ１が、平板パネル状のＲＣ構造板材によって構成されているが、特にこれに限らず、例えば、軽量気泡コンクリート構造、ボイドスラブ、デッキスラブ、ハーフＰＣ等の合成スラブ等、梁や根太等によって支持される面材であれば、木造、鉄骨造の床面材によって構成されるスラブであってもよい。
【０１０７】
また、この床部２１の床スラブ１を支持する複数の梁部材５，５は、金属製のＨ型鋼材である場合に限らず、例えば、ＲＣ造、ＳＲＣ造工法等のコンクリート梁材によって、これらの床スラブ１…が支持されるように構成されていてもよい。
【０１０８】
この場合、前記床スラブ１の上面１ａに、ダイナミックダンパ１６が載置されるため、前記コンクリート梁材に、ダイナミックダンパ１６を取付ける必要が無く、取付けが容易である。
【０１０９】
そして、この実施の形態では、前記ダイナミックダンパ１６が、振動を検知するセンサと、この検知された振動に基づいて、最適な制御力を演算する演算部と、所定の重量を有する可動マスと、この可動マスを前記振動を打ち消す方向に移動させて、この振動を減衰させる駆動装置とを有して主に構成されているが、特にこれに限らず、例えば、マスダンパー等、振動エネルギーを吸収するダイナミックダンパであれば、どのような構成のものであってもよい。
【０１１０】
また、前記ダイナミックダンパ１６に加えて、遮音シートを併用してもよく、遮音シートで遮音しにくい音域の振動を、減衰させるように、前記ダイナミックダンパ１６の固有振動数を調整することにより、より効果的に吸音、遮音性能を向上させることが出来る。
【０１１１】
そして、前記ダイナミックダンパ１６が、前記床スラブ１の上面１ａで、しかも、下面側に位置する複数の梁部材５，５の中間位置に設けられているが、特に中央である必要は無く、遮音性能を向上させることが出来る位置であれば、一方の梁部材５に近接していても良く、梁部材５，５の中間位置であれば、上面１ａのどのような位置であってもよい。
【０１１２】
更に、前記実施例２では、ダイナミックダンパ２６の可動マスとしての厚板鋼板２７が、長さ約５０ｃｍ×幅約５ｃｍ×高さ約７．５ｃｍの直方体形状を呈して構成されているが、特にこれに限らず、例えば、複数枚の前記厚板鋼板２７…を積層させて用いる等、形状、数量及び材質が特に限定されるものではない。
【産業上の利用可能性】
【０１１３】
床衝撃音の遮断性能が要求される建物、例えば、住宅、ホテル、旅館、学校、事務所、店舗、病院、体育館、ホール等で、二重床構造の建築物であるならば、どのような建築物であっても適用できる。
【図面の簡単な説明】
【０１１４】
【図１】本発明の実施の形態の遮音二重床構造の構成を説明し、建物の上階と下階との間に位置する床部及び下階天井部の縦断面図である。
【図２】本発明の実施の形態の実施例１の遮音二重床構造の消音実験の結果を示し、グラフ中、実線が、ＡＬＣ（厚さ１００ｍｍ）の床スラブ上面にダイナミックダンパを設置して、重量床衝撃音を加えて、騒音を測定した結果を表し、一点鎖線が床スラブ上面にダイナミックダンパを設置せずに、重量床衝撃音を加えて、騒音を測定した結果を表すグラフ図である。
【図３】本発明の実施の形態の実施例２の遮音二重床構造を説明し、ＡＬＣパネルにダイナミックダンパを装着する様子を示す分解斜視図である。
【図４】本発明の実施の形態の実施例２の遮音二重床構造に用いるダイナミックダンパの正面図である。
【図５】本発明の実施の形態の実施例２の遮音二重床構造に用いるダイナミックダンパの下面図である。
【図６】本発明の実施の形態の実施例２の遮音二重床構造に用いるダイナミックダンパの側面図である。
【図７】従来例の遮音二重床構造を示す分解斜視図である。
【図８】他の従来例の遮音二重床構造を示す分解斜視図である。
【図９】一従来例の遮音二重床構造を示す床部の縦断面図である。
【図１０】その他の従来例を示す遮音二重床構造で、要部の構成を説明する床部の縦断面図である。
【符号の説明】
【０１１５】
１              床スラブ
１ａ            上面
３              床面
１６，２６      ダイナミックダンパ
２０            建物
２１            床部
２７            厚板鋼板（可動マス）
２９            減衰ゴム
３０            支持台
３４            ＡＬＣパネル
３４ａ          中央部上面側
【図１】
2007205152.tif 000003
【図２】
2007205152.tif 000004
【図３】
2007205152.tif 000005
【図４】
2007205152.tif 000006
【図５】
2007205152.tif 000007
【図６】
2007205152.tif 000008
【図７】
2007205152.tif 000009
【図８】
2007205152.tif 000010
【図９】
2007205152.tif 000011
【図１０】
2007205152.tif 000012